(57)【要約】【課題】オペレータが見たい画面、及び、医師が見たい画面を、容易に表示できる心臓電気刺激システムを提供すること。【解決手段】心臓電気刺激システム１００は、刺激装置５００のメインモニターとは別にサブモニター４００を有し、刺激装置５００はメインモニターに表示するメイン画面とは独立に、サブモニター４００に表示するサブ画面を選択可能となっている。これにより、オペレータは、医師の都合に合わせて画面を頻繁に切り換える必要がなくなり、さらに医師はオペレータが見ている画面を覗き見る必要がなくなる。【選択図】図１
2018007878.tif 000002
【特許請求の範囲】
【請求項１】
心臓電気刺激装置のメイン画面を表示するメインモニターと、操作部と、前記操作部の操作に応じて電極カテーテルに供給する電気刺激を出力する刺激装置本体と、を有する心臓電気刺激装置と、
前記心臓電気刺激装置に接続され、サブ画面を表示するサブモニターと、
を有し、
前記サブモニターに表示される前記サブ画面が、前記メインモニターに表示される前記メイン画面とは独立に選択可能である、
心臓電気刺激システム。
【請求項２】
前記メインモニターと前記操作部は、コントロールパネルを構成しており、
前記コントロールパネルは、前記サブモニターと別体であり、
前記コントロールパネルの前記操作部の操作に応じて、前記サブモニターの前記サブ画面が選択される、
請求項１に記載の心臓電気刺激システム。
【請求項３】
前記サブ画面に、前記メイン画面とは独立に、
心電図及び電気刺激波形が含まれる波形画面、又は、食道温が含まれる食道温画面を表示可能である、
請求項１又は請求項２に記載の心臓電気刺激システム。
【請求項４】
前記サブ画面は、前記メイン画面とは独立に、
少なくとも、前記メイン画面と同一画面である第１画面と、心電図及び電気刺激波形が含まれる第２画面と、食道温が含まれる第３画面と、の間で切り換えて表示可能とされている、
請求項１又は請求項２に記載の心臓電気刺激システム。
【請求項５】
前記操作部には、前記サブモニターの前記サブ画面を切り換えるための専用の操作キーが設けられている、
請求項１から請求項４のいずれか一項に記載の心臓電気刺激システム。
【請求項６】
前記メイン画面には、前記サブ画面に、前記第１画面、第２画面、第３画面のうちどの画面が表示されているかを示す情報が表示される、
請求項４に記載の心臓電気刺激システム。
【発明の詳細な説明】
【技術分野】
【０００１】
本発明は、心臓電気刺激システムに関する。
【背景技術】
【０００２】
心臓電気刺激装置（以下これを単に「刺激装置」と呼ぶことがある）は、心腔内に留置した電極カテーテルから電気刺激を加えることにより、刺激伝導系の伝導能の評価、洞結節などの自動能の評価や、不整脈の性質や発生機序の検討、カテーテルアブレーション治療の焼灼部位の決定、治療効果の確認を行うために用いられている。
【０００３】
刺激装置を用いた心臓電気生理学検査が行われる検査室は、被検者に挿入された電極カテーテルの位置の監視を長時間にわたってＸ線により行うため、検査室にいる医療従事者のＸ線被爆量が増大するという問題がある。この問題に関連して、Ｘ線を被爆する心配がない操作室において、医療従事者が検査室の刺激装置をリモート操作することができるようにした技術が提案されている（例えば、特許文献１、２を参照）。つまり、刺激装置を操作するためのコントロールパネルが操作室に配置され、刺激装置のオペレータは、検査室にて電極カテーテルを挿入している医師の指示に従って、操作室にて刺激装置を操作する。
【先行技術文献】
【特許文献】
【０００４】
【特許文献１】特許第３１５３９４３号公報
【特許文献２】特開２００３−２１０４２９号公報
【発明の概要】
【発明が解決しようとする課題】
【０００５】
操作室にてオペレータが操作するコントロールパネルに付随する表示部には、刺激装置を制御するための制御画面や、刺激波形、心電図などが表示される。検査室にいる医師が刺激波形や心電図を確認するためには、操作室に配置された表示部を検査室から覗き見る必要がある。
【０００６】
そこで、例えば、操作室の表示部から分岐した別の表示部を検査室に配置すれば、医師は検査室にてこの別の表示部を見て、刺激波形、心電図などを確認しながら検査を進めることができる。
【０００７】
しかしながら、操作室のオペレータが見たい主たる画面は刺激装置を制御するための制御画面であるのに対して、検査室の医師が見たい主たる画面は刺激波形、心電図などであり、刺激装置のオペレータが見たい画面と、医師が見たい画面とは同じとは限らない。
【０００８】
よって、オペレータと医師のいずれか一方が見たい画面を表示すると、他方が見たい画面が表示できない問題が生じる。また、双方が見たい画面に適宜画面を切り換えることも考えられるが、画面の切り換えは検査中に行わなければならず、検査の負担になるおそれがある。
【０００９】
本発明は、以上の点を考慮してなされたものであり、オペレータが見たい画面、及び、医師が見たい画面を、容易に表示できる心臓電気刺激システムを提供する。
【課題を解決するための手段】
【００１０】
本発明の心臓電気刺激システムの一つの態様は、
心臓電気刺激装置のメイン画面を表示するメインモニターと、操作部と、前記操作部の操作に応じて電極カテーテルに供給する電気刺激を出力する刺激装置本体と、を有する心臓電気刺激装置と、
前記心臓電気刺激装置に接続され、サブ画面を表示するサブモニターと、
を有し、
前記サブモニターに表示される前記サブ画面が、前記メインモニターに表示される前記メイン画面とは独立に選択可能である。
【発明の効果】
【００１１】
本発明によれば、心臓電気刺激装置のオペレータが見たい画面と医師が見たい画面とを、メインモニターとサブモニターとに独立に表示させることができるようになるので、他方の都合に合わせて画面を頻繁に切り換える必要がなくなり、オペレータ及び医師が見たい画面を容易に表示できる。
【図面の簡単な説明】
【００１２】
【図１】実施の形態に係る心臓電気刺激システムの全体構成を示す概略図
【図２】刺激装置本体の背面図
【図３】コントロールパネル部の構成を平面図
【図４】メインメニュー画面を示す図
【図５】サブモニターの画面切り換わりの様子を示す図
【図６】サブモニターに表示される波形画面を示す図
【図７】サブモニターに表示される食道温画面を示す図
【図８】サブモニターに表示される波形画面の例を示す図
【図９】刺激モード画面を示す図
【図１０】刺激プログラム選択・設定領域を示す図
【図１１】「LEGACY」タブの選択により、基本となる刺激パターンが表示された様子を示す図
【図１２】トリガ設定領域を示す図
【図１３】計測モード画面を示す図
【図１４】食道温画面を示す図
【図１５】食道温画面を示す図
【発明を実施するための形態】
【００１３】
以下、本発明の実施の形態について、図面を参照して詳細に説明する。
【００１４】
＜１＞心臓電気刺激システムの全体構成
図１は、本発明の実施の形態に係る心臓電気刺激システムの全体構成を示す概略図である。
【００１５】
心臓電気刺激システム１００は、心腔内に留置される電極カテーテル１０から電気刺激を加えることにより、刺激伝導系の伝導能の評価、洞結節などの自動能の評価や、不整脈の性質や発生機序の検討、カテーテルアブレーション治療の焼灼部位の決定、治療効果の確認を行うことができるようになっている。また、心臓電気刺激システム１００は、電極カテーテル１０を用いて、心内心電図の計測、ペーシング及びインピーダンスの計測を行うことができるようになっている。さらに、心臓電気刺激システム１００は、食道温カテーテル２０を用いて、カテーテルアブレーション治療中の食道損傷を防止するために有効である食道温計測を行うことが可能となっている。食道温計測は、食道内に留置される食道温カテーテル２０の電極の温度を温度センサーとしての熱電対で計測することにより行う。本実施の形態の例では、食道温カテーテル２０の７箇所で食道温を計測するようになっている。
【００１６】
心臓電気刺激システム１００は、コントロールパネル部２００と、刺激装置本体３００と、サブモニター４００と、を有する。コントロールパネル部２００及びサブモニター４００は、刺激装置本体３００にケーブルによって接続されている。本実施の形態の場合、コントロールパネル部２００は操作室に配置され、刺激装置本体３００及びサブモニター４００は検査室に配置されている。なお、サブモニター４００は必ず検査室に配置されるが、刺激装置本体３００は操作室に配置してもよい。また、オペレータが検査室にて操作を行う場合には、コントロールパネル２００及び刺激装置本体３００も検査室に配置される。
【００１７】
また、図１の例では、コントロールパネル部２００と刺激装置本体３００とが別体に構成されているが、コントロールパネル部２００と刺激装置本体３００とが一体に構成されていてもよい。本質的には、コントロールパネル部２００と刺激装置本体３００とによって心臓電気刺激装置５００が構成される。さらに言うと、心臓電気刺激装置５００は、本質的には、心臓電気刺激装置５００のメイン画面を表示するメインモニターと、操作部と、操作部の操作に応じて電極カテーテルに供給する電気刺激を出力する刺激装置本体と、を有していればよい。
【００１８】
コントロールパネル部２００には、モニター部と操作部とが設けられている。本実施の形態の場合、モニター部はタッチパネル構成とされており、刺激装置５００のオペレータは、モニター部及び操作部を用いて刺激装置５００を操作する。
【００１９】
刺激装置本体３００には、コントロールパネル部２００及びサブモニター４００に加えて、電極カテーテル１０が接続される中継ケーブルや、食道温カテーテル２０が接続される中継ケーブルなどが接続される。刺激装置本体３００は、電極カテーテル１０に供給する電気刺激パルスを形成するアンプなどを有する。本実施の形態の刺激装置５００は、最大で４個の電極カテーテル１０を用いて刺激出力及び計測を行うことができるようになっている。
【００２０】
図２は、刺激装置本体３００の背面に設けられたコネクタの様子を示す背面図である。
【００２１】
電源コネクタ３０１には電源コードが接続される。刺激出力コネクタ３０２には、電極接続ケーブル（中継ケーブル）が接続される。刺激出力コネクタ３０２からはアイソレーションされた刺激パルスが出力される。外部トリガ入力コネクタ３０３には、トリガ検出用の心電図信号が外部装置から入力される。食道温信号入力コネクタ３０４には、食道温接続ケーブル（中継ケーブル）が接続される。コントロールパネル接続コネクタ３０５には、コントロールパネル部２００が接続される。サブモニター接続コネクタ３０６には、サブモニター４００が接続される。ＬＡＮコネクタ３０７は拡張用のコネクタであり、例えばポリグラフ（心臓カテーテル検査装置）などが接続可能である。プリンタ用ＵＳＢコネクタ３０８には、プリンタが接続される。
【００２２】
＜２＞コントロールパネル部の構成
図３に示すように、コントロールパネル部２００は、タッチパネル２１０と、固定キー２２０とにより構成されている。固定キー２２０には、頻繁に操作するキーが割り当てられている。固定キー２２０としては、サブモニター画面切り換えキー２２１、ターミネーションキー２２２、エマージェンシー２２３、数値設定ダイヤルキー２２４、＋/−キー２２５、左右キー２２６、テンキー２２７、スタートキー２２８、ストップキー２２９が設けられている。
【００２３】
サブモニター画面切り換えキー２２１が押されると、サブモニター４００に表示される画面が切り換えられる。具体的には、サブモニター画面切り換えキー２２１が押される度に、サブモニター４００に表示される画面が予め決められた順序で切り換わるようになっている。これにより、オペレータは容易にサブモニター４００の画面を切り換えることができる。
【００２４】
ターミネーションキー２２２が押されると、刺激装置本体３００は、頻脈停止用の刺激パターンを呼び出し、この後にスタートキー２２８が押されると、刺激出力コネクタ３０２から頻脈停止用の刺激を出力する。エマージェンシーキー２２３が押されると、刺激装置本体３００は、強制的に固定レートの刺激を出力する。
【００２５】
数値設定ダイヤルキー２２４は、時計回りに回転操作すると数値を増加させ、反時計回りに回転操作すると数値を減少させることができる。数値設定ダイヤルキー２２４を用いた数値入力を行うことにより、テンキー２２７を用いた数値入力を行う場合と比較して、徐々に数値を増減させることができるので、テンキー２２７の誤操作によって急激に刺激出力を増加させてしまうといった危険な操作を防止できる。＋/−キー２２５も同様に数値を増減させるために用いられる。左右キー２２６は、タッチパネル２１０に表示された設定対象を移動させるために用いられる。
【００２６】
スタートキー２２８が押されると、刺激出力コネクタ３０２から刺激が出力される。刺激中にはスタートキー２２８が点灯する。ストップキー２２９が押されると、刺激出力が停止される。刺激停止中にはストップキー２２９が点灯する。
【００２７】
＜３＞画面構成
＜３−１＞メインメニュー及び画面遷移
図４は、タッチパネル２１０に表示されるメインメニュー画面を示す。メインメニュー画面は、例えば、刺激装置５００の電源投入直後に表示される。
【００２８】
メインメニュー画面には、モード選択キーとして、刺激モードキーＡ１、計測モードキーＡ２、食道温モードキーＡ３、ウェーブアンドログ（WAVE&LOG）モードキーＡ４の４つのモード選択キーＡ１〜Ａ４が表示される。オペレータによってモード選択キーＡ１〜Ａ４のいずれかタッチされると、刺激装置５００はタッチされたモード選択キーＡ１〜Ａ４に応じたモードを実行するとともに、選択されたモードに応じた画面をタッチパネル２１０に表示する。
【００２９】
因みに、本実施の形態の刺激装置５００は、ウェーブアンドログ（WAVE&LOG）機能を有する。このウェーブアンドログ機能とは、電気刺激波形及び心電図の波形と、刺激装置５００のログ（刺激を出力したときの日時や刺激条件（刺激間隔、パルス幅、定電圧／定電流出力値、刺激するチャネルなど）などを記述したもの）と、を記録及び表示する機能である。
【００３０】
加えて、メインメニュー画面には、各モードの設定を行うための設定キーＢ１〜Ｂ７が表示される。設定キーＢ１〜Ｂ７として、刺激モード設定キーＢ１、計測モード設定キーＢ２、食道温モード設定キーＢ３、ウェーブアンドログ（WAVE&LOG）モード設定キーＢ４、エマージェンシー設定キーＢ５、ターミネーション設定キーＢ６、システム設定キーＢ７が表示される。オペレータによって設定キーＢ１〜Ｂ７のいずれかがタッチ操作により選択されると、刺激装置５００は選択された設定キーに応じた設定画面をタッチパネル２１０に表示する。
【００３１】
加えて、メインメニュー画面の上部にはタスクバーＣ１０が表示される。このタスクバーＣ１０は、メインメニュー画面に限らず、各画面の上部に共通に表示される。タスクバーＣ１０は、画面遷移キーＣ１１、Ｃ１２、サブモニター状態表示領域Ｃ１３を含む。
【００３２】
左側の画面遷移キーＣ１１と右側の画面遷移キーＣ１２をタッチ操作することにより、オペレータはメインメニューに戻らなくても所望の画面を表示させることができる。
【００３３】
刺激装置５００は、刺激モード時に画面遷移キーＣ１１がタッチされると食道温モードに移行する。ウェーブアンドログモード時に画面遷移キーＣ１１がタッチされると刺激モードに移行する。食道温モード時に画面遷移キーＣ１１がタッチされると刺激モードの波形画面に移行する。刺激モードの波形画面時に画面遷移キーＣ１１がタッチされるとウェーブアンドログモードに移行する。計測モード時に画面遷移キーＣ１１がタッチされると計測モードの波形画面に移行する。計測モードの波形画面時に画面遷移キーＣ１１がタッチされると計測モードに移行する。
【００３４】
また、刺激装置５００は、刺激モード時に画面遷移キーＣ１２がタッチされるとウェーブアンドログモードに移行する。ウェーブアンドログモード時に画面遷移キーＣ１２がタッチされると刺激モードの波形画面に移行する。食道温モード時に画面遷移キーＣ１２がタッチされると刺激モードに移行する。刺激モードの波形画面時に画面遷移キーＣ１２がタッチされると食道温モードに移行する。計測モード時に画面遷移キーＣ１２がタッチされると計測モードの波形画面に移行する。計測モードの波形画面時に画面遷移キーＣ１２がタッチされると計測モードに移行する。
【００３５】
このように、刺激装置５００は、メインメニューに戻らなくても、各モード画面の上部に常時配置されている画面遷移キーＣ１１、Ｃ１２を用いて、迅速なモード切り換えが可能となり、これにより、検査の時間が短縮化されること、及び、検査の質が向上することが期待される。
【００３６】
サブモニター状態表示領域Ｃ１３には、サブモニター４００に現在表示されている画面の種類を示す情報が表示される。サブモニター状態表示領域Ｃ１３に「SUB：１」と表示されている場合にはサブモニター４００に体表面心電図、心内心電図及び電気刺激波形（つまり波形画面）が表示されており、「SUB：２」と表示されている場合にはサブモニター４００に食道温画面が表示されており、「SUB：３」と表示されている場合にはサブモニター４００にタッチパネル２１０に表示されている画面と同一画面が表示されている。これにより、オペレータはサブモニター状態表示領域Ｃ１３を見ることでサブモニター４００にどの画面が表示されているかを容易に把握できる。
【００３７】
つまり、サブモニター４００の画面は、オペレータがサブモニター画面切り換えキー２２１を押圧操作することにより、図５に示したように、波形画面Ｄ１→食道温画面Ｄ２→タッチパネルと同一画面Ｄ３→波形画面Ｄ１、の順序で切り換えられるが、タッチパネル２１０のサブモニター状態表示領域Ｃ１３にはサブモニター４００に現在どの画面Ｄ１〜Ｄ３が表示されているのかを識別可能に表示される。
【００３８】
なお、本実施の形態では、サブモニター状態表示領域Ｃ１３に、１、２、３などの数字を表示することによって、サブモニター４００に現在表示されている画面の種類を示すようにしたが、数字に限らず、例えば文字や記号などによって画面の種類を示すようにしてもよい。例えば「SUB：１」に代えて「SUB：Ｗ」や「SUB：波形」などと表示してもよく、「SUB：２」に代えて「SUB：Ｔ」や「SUB：食道温」などと表示してもよく、「SUB：３」に代えて「SUB：Ｓ」や「SUB：同一」などと表示してもよい。
【００３９】
＜３−２＞サブモニターに表示される画面
図６はサブモニター４００に表示される波形画面Ｄ１を示し、図７はサブモニター４００に表示される食道温画面Ｄ２を示す。
【００４０】
波形画面Ｄ１の画面中央部には体表面心電図（ＥＣＧ）、心内心電図及び電気刺激波形などが表示される。また、波形画面Ｄ１の画面上部には、心拍数（ＨＲ）、基本刺激周期（ＣＬ）及び食道温（ＴＥＭＰ）などの数値が表示される。このように、波形画面Ｄ１に、心電図及び電気刺激波形に加えて、食道温も含めたことにより、医師は被検者の状態をより包括的に把握できるようになる。
【００４１】
食道温画面Ｄ２には、各食道温測定ポイントＴ１〜Ｔ７についての、トレンドグラフ、リアルタイムの計測値、リアルタイムのバーグラフが含まれる。トレンドグラフ及びバーグラフは、測定ポイント毎に色分けされており、これにより、どの測定ポイントのグラフかを容易に認識できる。なお、食道温画面Ｄ２は、基本的には、図１４及び図１５を用いて後に詳述する食道温画面と同様である。
【００４２】
ここで、サブモニター４００に表示される波形画面Ｄ１を模擬した例を、図８に示す。図中の期間ａは電気刺激により不整脈を誘発している期間であり、期間ｂはアブレーション治療が行われている期間であり、期間ｃはアブレーション治療により正常な心電図が得られている期間を示す。図８の例で示されている食道温はアブレーション治療が終了して正常な心電図が得られている時点（図中の右端の時点）の食道温であるが、アブレーション治療中にはアブレーションによって食道温の温度も変化するので、それが反映された食道温が表示される。
【００４３】
＜３−３＞刺激モード画面
刺激装置５００は、図４のメインメニュー画面で刺激モードキーＡ１がタッチされたり、あるいはタスクバーＣ１０のタッチ操作により、刺激モードに入る。刺激モードに入ると、タッチパネル２１０には、図９に示すような刺激モード画面Ｅ０が表示される。オペレータは、刺激モード画面Ｅ０を用いて、刺激プログラムを選択するとともに、各種刺激条件を設定して、刺激出力を開始させる。
【００４４】
刺激モード画面Ｅ０には、刺激プログラム選択・設定領域Ｅ１、トリガ設定領域Ｅ２、アウトプット設定領域Ｅ３が含まれる。刺激プログラム選択・設定領域Ｅ１は、オペレータが出力する刺激のプログラムを選択及び設定するために用いられる。トリガ設定領域Ｅ２は、オペレータがトリガ関係の設定を行うために用いられる。アウトプット設定領域Ｅ３は、オペレータが刺激の出力値や出力するチャネルを設定するために用いられる。
【００４５】
図１０は、図９の刺激プログラム選択・設定領域Ｅ１を拡大した図である。刺激プログラム選択・設定領域Ｅ１には、プログラム選択キー領域Ｅ１１、プログラムタブＥ１２、プログラム表示変更領域Ｅ１３が含まれる。
【００４６】
プログラム選択キー領域Ｅ１１には、複数のプログラム選択キー（図１０の例の場合１２個）が設けられている。各プログラム選択キーには予め設定された刺激プログラムが対応付けられており、オペレータがいずれかのプログラム選択キーをタッチすると、その選択キーに応じたプログラムが呼び出され、刺激の各時間、出力、トリガ等にプログラムの内容が反映される。
【００４７】
ここで、呼び出されたプログラムの内容は、例えばプログラム表示変更領域Ｅ１３に表示され、オペレータはタッチパネル２１０を操作したり固定キー２２０を操作することにより、プログラムの内容を変更した刺激設定を行うこともできる。プログラム表示変更領域Ｅ１３では、種々の刺激パラメータの変更が可能である。
【００４８】
プログラム表示変更領域Ｅ１３には、戻るキーＥ１３１、進むキーＥ１３２が設けられている。本実施の形態の刺激装置５００は、プログラムキー選択後に変更した設定を刺激開始のタイミングで５回分記憶できるようになっている。そして、戻るキーＥ１３１及び進むキーＥ１３２をタッチすることにより、１つ前及び１つ後の変更プログラム設定を呼び出すことができる。これにより、プログラムキー選択後に変更した設定を容易に呼び出すことができるので、同じ刺激を容易かつ迅速に再度出力することができるようになる。
【００４９】
プログラムタブＥ１２としては、常に５個のプログラムタブが表示され、オペレータは症例に応じたプログラムタブをタッチすることにより、症例に合わせたプログラムを即座に呼び出すことができる。因みに、プログラムタブＥ１２には、「LEGACY」タブが含まれ、オペレータが「LEGACY」タブを選択すると、図１１に示すような基本となる刺激パターンが表示され、オペレータはこれらの刺激パターンの中から所望の刺激パターンを選択できる。
【００５０】
図１２は、図９のトリガ設定領域Ｅ２を拡大した図である。トリガ設定領域Ｅ２には、トリガチャネル選択キーＥ２１が設けられ、オペレータはトリガチャネル選択キーＥ２１をタッチすることにより、刺激出力の電極より導出される心内心電図信号Ch.A、Ch.B、Ch.C、Ch.D、体表面の電極より導出される体表面心電図信号INT.及び外部機器より入力されるEXT.信号の５種類の中から、いずれかを選択できる。トリガ波形表示領域Ｅ２２には、設定されたトリガレベルと、トリガすべき信号とが表示され、オペレータはそれらに基づいてトリガすべき信号が確実にトリガされているかを確認できる。
【００５１】
またトリガ設定領域Ｅ２には、バックアップチャネル設定キーＥ２３が設けられ、オペレータはバックアップチャネル設定キーＥ２３をタッチすることにより、バックアップするチャネルを選択できる。選択できるバックアップチャネルはCh.A〜Ch.Dの中のいずれかである。次にオペレータがスタートキーＥ２４をタッチすると、選択したチャネルでのバックアップペーシングの準備がＯＮ状態とされる。
【００５２】
＜３−４＞計測波形画面（計測モード画面）
刺激装置５００は、図４のメインメニュー画面で計測モードキーＡ２がタッチされたり、あるいはタスクバーＣ１０のタッチ操作により、計測モードに入る。計測モードに入ると、タッチパネル２１０には、図１３に示すような計測モード画面Ｆ０が表示される。
【００５３】
刺激装置５００は、計測モードにおいて、簡易ＰＳＡ（Pacemaker System Analyzer）計測ができるようになっている。また、現在使用されているペーシングモードでの検査、それらによる波形計測、頻脈性不整脈停止を目的としたハイレートペーシングを行うこともできるようになっている。
【００５４】
計測値表示領域Ｆ１には、各計測値が表示される。計測表示・設定領域Ｆ２では、アナライザとしての表示及び設定が行われる。デバイス関連設定領域Ｆ３では、デバイスすなわちこれから被検者に適用するペースメーカーなどの設定を行うことができる。
【００５５】
＜３−５＞食道温画面
刺激装置５００は、図４のメインメニュー画面で食道温モードキーＡ３がタッチされたり、あるいはタスクバーＣ１０のタッチ操作により、食道温モードに入る。食道温モードに入ると、タッチパネル２１０には、図１４に示すような食道温画面Ｇ０が表示される。
【００５６】
食道温画面Ｇ０には、トレンドグラフ表示領域Ｇ１、バーグラフ表示領域Ｇ２、温度計測値表示領域Ｇ３が含まれる。トレンドグラフ表示領域Ｇ１には、各チャネル（つまり温度測定ポイントＴ１〜Ｔ７）の計測値がトレンドグラフで表示される。バーグラフ表示領域Ｇ２には、各チャネルのリアルタイムの計測値がバーグラフによって表示される。温度計測値表示領域Ｇ３には、各チャネルのリアルタイムの計測値が表示される。
【００５７】
ここで、本実施の形態の食道温画面Ｇ０は、トレンドグラフにより複数位置間の食道温の相対的差及び時間的差を表した経時的表示と、バーグラフにより複数位置間の食道温の相対的差を表した相対的表示と、数値によって複数位置の食道温を表した絶対的表示と、を行っている。このような表示を行うことにより、医師及びオペレータは、食道温の経時的傾向、測定ポイント間の相対的傾向、及び、各測定ポイントの温度値から、包括的かつ迅速な状態判断をすることができるようになる。例えば、医師及びオペレータは、トレンドグラフの温度勾配によって注意部位を見つけ、その注意部位のリアルタイム情報を見ることで、危険な状態を的確かつ迅速に認識できる。
【００５８】
さらに、食道温画面Ｇ０にはチャネル表示領域Ｇ４が設けられており、チャネル表示領域Ｇ４には各チャネル（つまり温度測定ポイントＴ１〜Ｔ７）が色分けされて表示される。例えばＴ１は黄色、Ｔ２は緑色、Ｔ３は青色で表示され、その測定ポイントに対応するトレンドグラフ及びバーグラフもその色と同色で表示される。ここで、チャネル表示領域Ｇ４での測定ポイントＴ１〜Ｔ７の並びは食道温カテーテル２０での測定ポイントの配置に相当しており、さらに測定ポイントの色とトレンドグラフ及びバーグラフの色とが対応付けられているので、食道のどの箇所の温度がどのような傾向にあるのかを感覚的に把握できる。
【００５９】
さらに、食道温画面Ｇ０には温度閾値通知設定領域Ｇ５が設けられており、オペレータは設定したい閾値の位置をタッチした後、固定キー２２０を用いて閾値を設定できる。本実施の形態の刺激装置５００は、高周波アブレーション（RF）を行う場合の閾値（UPPER LIMIT）と、冷凍アブレーション（CRYO）を行う場合の閾値（LOWER LIMIT）とを設定できるようになっている。また、高周波アブレーションの閾値（UPPER LIMIT）及び冷凍アブレーションの閾値（LOWER LIMIT）としてそれぞれ２段階の閾値（１ｓｔ閾値と２ｎｄ閾値）を設定できるようになっている。刺激装置５００は、計測された食道の温度が高周波アブレーションの閾値（UPPER LIMIT）以上まで上昇、又は冷凍アブレーションの閾値（LOWER LIMIT）以下まで下降したときに、このことを音及び表示で通知する。このとき、予備的な閾値である１ｓｔ閾値を超えた場合には予備的通知を行い、２ｎｄ閾値を超えた場合にはさらなる通知を行う。
【００６０】
図１４は、高周波アブレーション（RF）時の食道温画面であり、トレンドグラフ表示領域Ｇ１及びバーグラフ表示領域Ｇ２には、高周波アブレーション（RF）用に設定された１ｓｔ閾値及び２ｎｄ閾値が直線により表示されている。これにより、各測定ポイントＴ１〜Ｔ７の食道温と閾値との関係を一目で把握でき、医師はアブレーションをより安全に行うことができるようになる。
【００６１】
図１５は、冷凍アブレーション（CRYO）時の食道温画面である。図１４の画面から図１５の画面への切り換え、又は、図１５の画面から図１４の画面への切り換えは、デバイス切り換えキーＧ６をタッチ操作することにより行うことができる。図１５の冷凍アブレーション（CRYO）時の食道温画面では、トレンドグラフ表示領域Ｇ１及びバーグラフ表示領域Ｇ２には、冷凍アブレーション（CRYO）用に設定された１ｓｔ閾値及び２ｎｄ閾値が直線により表示されている。
【００６２】
なお、本実施の形態では、バーグラフによって複数位置間の食道温の相対的差を表した相対的表示を行う場合について述べたが、複数位置間の食道温の相対的差はバーグラフ以外のグラフによって表してもよい。また、本実施の形態では、同一画面に、複数位置の食道温を数値によって表した絶対的表示画像と、複数位置間の食道温の相対的差をグラフによって表した相対的表示画像と、複数位置間の食道温の相対的差及び時間的差をトレンドグラフによって表した経時的表示画像と、を表示した場合について述べたが、絶対的表示画像と、相対的表示画像と、経時的表示画像とのうちいずれか２つを同一画面に表示してもよい。つまり、これら３つの画像を同一画面に表示するのが最も有効であるが、モニターのサイズ等を考慮して２つの画像を表示してもよい。この場合、複数位置の食道温を数値によって表した絶対的表示画像は省略せずに、絶対的表示画像と相対的表示画像、又は、絶対的表示画像と経時的表示画像を同一画面に表示することが好ましい。
【００６３】
＜４＞実施の形態の効果
以上説明したように、本実施の形態によれば、刺激装置５００のメインモニターとは別にサブモニター４００を設け、メインモニターに表示するメイン画面とは独立に、サブモニター４００に表示するサブ画面を選択できるようにしたことにより、他方の都合に合わせながら画面を頻繁に切り換える必要がなくなり、オペレータが見たい画面、及び、医師が見たい画面を、容易に表示できるようになる。
【００６４】
また、サブモニター４００のサブ画面を切り換えるための専用の操作キー（サブモニター画面切り換えキー２２１）を、タッチパネル２１０に表示するのではなく固定キーとして設けたことにより、オペレータはサブ画面の切り換えを自分が見ている画面を変更することなく行うことができるようになる。
【００６５】
なお上述の実施の形態では、刺激装置５００のメイン画面を表示するメインモニターをタッチパネル２１０によって構成した場合について述べたが、メインモニターをタッチパネルによって構成せずに単に表示だけを行うモニターによって構成し、コントロールパネル部での入力は例えばマウスを用いて行うように構成してもよい。
【００６６】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することの無い範囲で、様々な形で実施することができる。
【産業上の利用可能性】
【００６７】
本発明は、心腔内に留置した電極カテーテルから電気刺激を加える心臓電気刺激システムに適用し得る。
【符号の説明】
【００６８】
１０  電極カテーテル
２０  食道温カテーテル
１００  心臓電気刺激システム
２００  コントロールパネル部
２１０  タッチパネル
２２０  固定キー
２２１  サブモニター画面切り換えキー
３００  刺激装置本体
４００  サブモニター
５００  刺激装置
【図１】
2018007878.tif 000003
【図２】
2018007878.tif 000004
【図３】
2018007878.tif 000005
【図４】
2018007878.tif 000006
【図５】
2018007878.tif 000007
【図６】
2018007878.tif 000008
【図７】
2018007878.tif 000009
【図８】
2018007878.tif 000010
【図９】
2018007878.tif 000011
【図１０】
2018007878.tif 000012
【図１１】
2018007878.tif 000013
【図１２】
2018007878.tif 000014
【図１３】
2018007878.tif 000015
【図１４】
2018007878.tif 000016
【図１５】
2018007878.tif 000017